(57)【要約】【課題】  電子メールに付加される広告に対するシステムの利用者の感度を高めることができるプレゼント付広告情報付加電子メール配信システムを提供する。【解決手段】  予め登録された配信先のメールアドレス情報を記憶するアドレス記憶部４と、ヘッダ情報及びメール内容を含む電子メールにおいてメール内容に広告情報を付加する広告付加部７と、プレゼント付広告情報を付加する電子メールを選択するメール選択部６と、ここで選択された電子メールのメール内容に付加された広告部分の周辺部分に、広告情報と共にプレゼント付広告情報を構成する応募情報を付加する応募情報付加部８と、前記広告情報と応募情報とが付加された電子メールを、前記アドレス記憶手段に記憶された配信先のメールアドレス情報に基づいて受信者に配信するメール配信部１０とを含む。【選択図】  図１
2010198635.tif 000002
【特許請求の範囲】
【請求項１】
予め登録された配信先のメールアドレス情報を記憶するアドレス記憶手段と、
ヘッダ情報及びメール内容を含む電子メールにおいて前記メール内容に広告情報を付加する広告付加手段と、
前記電子メールについて、プレゼント付広告情報を付加する電子メールを選択するメール選択手段と、
前記メール選択手段により選択された電子メールのメール内容に付加された広告部分の周辺部分に、前記広告情報と共に前記プレゼント付広告情報を構成する応募情報を付加する応募情報付加手段と、
前記プレゼント付広告情報を構成する広告情報と応募情報とが付加された電子メールを、前記アドレス記憶手段に記憶された配信先のメールアドレス情報に基づいて受信者に配信するメール配信手段と
を含むことを特徴とするプレゼント付広告情報付加電子メール配信システム。
【請求項２】
前記応募情報は、前記広告部分の周辺部分の他に前記広告部分にも付加されることを特徴とする請求項１記載のプレゼント付広告情報付加電子メール配信システム。
【請求項３】
前記電子メールのメール内容において、前記応募情報には、応募先情報として通信ネットワークを利用したホームページのアドレス情報又はメールアドレス情報が含まれている請求項１又は２記載のプレゼント付広告情報付加電子メール配信システム。
【請求項４】
前記電子メールとして、送信者から送信された電子メールを受信するメール受信手段を更に含み、
前記受信した電子メールに前記広告情報と前記応募情報を付加して配信することを特徴とする請求項１乃至３のいずれか１項に記載のプレゼント付広告情報付加電子メール配信システム。
【請求項５】
前記プレゼントの内容及びそのプレゼントの応募情報の付加に関して、電子メールにより受信者に予め告知するプレゼント告知手段を更に含むことを特徴とする請求項１乃至４のいずれか１項に記載のプレゼント付広告情報付加電子メール配信システム。
【請求項６】
前記プレゼントの当選者を応募の先着順に決定するプレゼント当選決定手段を、更に含むことを特徴とする請求項１乃至５のいずれか１項に記載のプレゼント付広告情報付加電子メール配信システム。
【発明の詳細な説明】
【技術分野】
【０００１】
本発明は、電子メールに広告等の情報を付加して配信するシステムに関する。
【背景技術】
【０００２】
従来、送信者から送信された電子メールを受信し、この電子メールに広告を付加させ、予め指定された配信先の受信者に配信するメーリングリストサービスが行われている。このようなメーリングリストサービスでは、メールリングリストサービス業者自身が企業から依頼された広告を電子メールに付加又は添付している。
【発明の概要】
【発明が解決しようとする課題】
【０００３】
しかし、最近は、受信者は電子メールに広告が付加又は添付されていることに慣れており、広告に対する感度が低下している。そのため、受信者は電子メールに付加又は添付されている広告を見たとしても、その印象がほとんど残らず、広告が記憶に残らないことがある。また、広告には全く見向きもしない利用者もいる。これは、広告の提供側にとっては大きな機会損失となっている。
【０００４】
本発明の目的は、電子メールに付加される広告に対するシステムの利用者の感度を高めることができるプレゼント付広告情報付加電子メール配信システムを提供することにある。
【課題を解決するための手段】
【０００５】
本発明のプレゼント付広告情報付加電子メール配信システムは、
予め登録された配信先のメールアドレス情報を記憶するアドレス記憶手段と、
ヘッダ情報及びメール内容を含む電子メールにおいて前記メール内容に広告情報を付加する広告付加手段と、
前記電子メールについて、プレゼント付広告情報を付加する電子メールを選択するメール選択手段と、
前記メール選択手段により選択された電子メールのメール内容に付加された広告部分の周辺部分に、前記広告情報と共に前記プレゼント付広告情報を構成する応募情報を付加する応募情報付加手段と、
前記プレゼント付広告情報を構成する広告情報と応募情報とが付加された電子メールを、前記アドレス記憶手段に記憶された配信先のメールアドレス情報に基づいて受信者に配信するメール配信手段とを含むことを特徴とする。
【０００６】
従って、本発明のプレゼント付広告情報付加電子メール配信システムでは、電子メールに付加された広告部分の周辺部分に、プレゼントの応募情報が付加されているので、受信者はプレゼントの応募情報を探すために、広告部分を詳細に見る可能性が高まり、受信者の広告への注目を喚起させることができる。すなわち、受信者の広告に対する感度を高めることができる。
【０００７】
一方、広告を出す広告提供者（企業など）にとっては、本発明のシステムを利用している受信者の広告に対する注目度が高くなっているので、有効に広告情報を配信することができる。
【０００８】
従って、広告を出す広告提供者及び広告情報を受ける受信者の双方にとってメリットがある。
【０００９】
このようにプレゼントが貰える可能性があると、より一層本発明のシステムによるメーリングリストサービスを利用しようと思うユーザを増加させることができるので、メールリングリストサービス業者にとってもメリットが大きい。
【００１０】
なお、受信者は電子メールに付加されたプレゼントの応募情報を見つけると、その応募情報を利用して応募し、抽選等によりプレゼントを受ける権利を得れば（すなわち、当たれば）、プレゼントを受け取ることができる。
【００１１】
本発明では、プレゼントの応募情報を付加する電子メールを選択するメール選択手段と、このメール選択手段により選択された電子メールに付加された広告部分の周辺部分に、プレゼントの応募情報を付加する応募情報付加手段とを含む。
【００１２】
すなわち、プレゼントの応募情報をすべての電子メールに付加するのではなく、メーリングリストサービス業者により選ばれた電子メールに付加する方法を採用すると、常に応募情報が付加されているわけではないので、受信者はより詳細に広告部分を見るようになり、より一層広告に対する注目度を高めることができる。
【００１３】
また、常に応募することができないので、プレゼントに応募することに慣れが生じず、プレゼントの応募意欲を低下させない。そのため、受信者は広告部分を見て応募情報を探す意欲の低下を抑制又は防止することができる。
【００１４】
前記応募情報は、前記広告部分の周辺部分の他に、前記広告部分にも付加されることが好ましい。
【００１５】
本発明では、予め電子メールにより受信者にプレゼントの内容及びそのプレゼントの応募情報の付加に関して告知するプレゼント告知手段を含むことが好ましい。プレゼントの内容（商品など）が予め分かっていないと、受信者は大したプレゼントでないと思ってプレゼントの応募情報を探さない可能性がある。しかし、このように、プレゼントの内容に関して予め電子メールにより告知されていると、受信者に応募情報の探索意欲を促進させ、ひいては広告に対する注目度を喚起させることができる。
【００１６】
また、プレゼントの応募情報の付加に関する情報を予め得ていない場合、受信者が応募情報を見つけるためには、受信者はすべての電子メールについて、更にはすべての電子メールに付加されている広告について、詳細に調べなければならず、受信者の負担が大きくなり、受信者の応募情報の探索意欲が低下する。しかし、このように、受信者に予めプレゼントの応募情報の付加に関して告知されていると、受信者の応募情報の探索意欲を高めることができる。従って、広告に対する感度を促進させることができる。
【００１７】
本発明の好適な態様として、応募情報に応募先情報として通信ネットワークを利用したホームページのアドレス情報又はメールアドレス情報が含まれているプレゼント付広告情報付加電子メール配信システムが挙げられる。
【００１８】
本発明のシステムでは、メールリングリストサービス業者は通信ネットワークを利用して広告が付加された電子メールを配信しており、受信者は通信ネットワークに接続することができる機器（以下、「ネット端末機器」と称する場合がある）を用いて電子メールを受信している。そのため、プレゼントの応募も通信ネットワークを利用する構成であると、受信者は電子メールを受信して、ネット端末機器の表示画面上に電子メールを表示して、広告部分を詳細に見て応募情報を探し、応募情報を見つけると、そのままネット端末機器を用いてプレゼントに応募することができるため、受信者にとっては容易にしかも早くプレゼントに応募することができる。
【００１９】
特に、受信者が、通信ネットワークを利用したホームページに応募者情報を記入して送信することにより、又は応募者情報を含む電子メールを送信することにより、応募が行われるので、応募した順番を容易に且つ正確に確定することができる。
【００２０】
また、応募者情報はデータとして受信することができるので、メールリングリストサービス業者のデータベースに応募者情報を自動的に入力することも可能となる。このように、通信ネットワークを利用した応募方法は、メールリングリストサービス業者にとってもメリットが大きい。
【００２１】
本発明では、更に、応募の先着順にプレゼントの当選者を決定するプレゼント当選決定手段を含むプレゼント付広告情報付加電子メール配信システムを好適に採用することができる。
【００２２】
このように、プレゼントの当選者を、プレゼントに応募した応募者のうち最先に応募した応募者から順に、すなわち、応募の先着順に決定する方法を採用すると、広告情報が付加された電子メール（「広告付加メール」と称する場合がある）の受信者は、早く応募した方が当選する確率が高くなるので、受信した電子メールについてすぐに、しかも詳細に広告部分を見て応募情報を探すようになると思われる。従って、受信者の広告に対する感度を高めることができる。
【発明の効果】
【００２３】
本発明のシステムは、電子メールに付加されている広告部分及び／又はその周辺部分にプレゼントの応募情報が付加されているので、ユーザの広告に対する感度を高めることができる。そのため、広告等の情報を出す企業である提供者側および利用者側の双方にとって大きなメリットがある。
【図面の簡単な説明】
【００２４】
【図１】本発明のシステムの一構成例を示す図である。
【図２】図１に係るメーリングリストサービス部とともに、プレゼント告知サービス部及びプレゼントサービス部が設けられている構成例を示す図である。
【図３】本発明のシステムの他の構成例を示す図である。
【図４】本発明のシステムの他の構成例を示す図である。
【発明を実施するための形態】
【００２５】
図１は、本発明のシステムの一構成例を示している。図１において、１は電子メール（以下、単に「メール」と称する場合がある）、２はメール受信部、３はメール解釈部、４はメールアドレス情報記憶部、５はメール作成部、６はメール選択部、７は選択メール広告付加部、８は応募情報付加部、９は否選択メール広告付加部、１０はメール配信部、１１は情報が付加されたメール（情報付加メール）、１２はメールアドレス設定変更部である。
【００２６】
電子メール１は、本発明のシステムで作成されるが、送信者から送られてきた電子メールでもよい。本実施形態では、電子メール１がメール受信部２で受信され、メール解釈部３に送られる。
【００２７】
メール解釈部３は、少なくともメールのヘッダ情報及びメール内容を解釈して、ヘッダ情報をメールアドレス情報記憶部４に送り、メール内容をメール作成部５に送る。
【００２８】
メールアドレス情報記憶部４には、ユーザ（送信者及び／又は受信者）により予め登録された配信先の受信者のメールアドレス情報（ユーザ属性を含む）が記憶されており、メール解釈部３からのヘッダ情報に基づいて配信先のメールアドレス情報を求め、配信先のメールアドレスを含むヘッダ情報をメール作成部５に送る。
【００２９】
メール作成部５は、メール解釈部３からのメール内容にメールアドレス情報記憶部４からのヘッダ情報（配信先のメールアドレスを含むヘッダ情報）を付与して配信先ヘッダ情報付与メールを作成し、当該配信先ヘッダ情報付与メールをメール選択部６に送る。
【００３０】
メール選択部６は、プレゼントの応募情報を付加する電子メール（選択メール）を選択する選択部である。当該メール選択部６により選択された選択メールは、選択メール広告付加部７に送られる。
【００３１】
一方、メール選択部６により選択メールとして選択されなかったメール（否選択メール）は、否選択メール広告付加部９に送られる。
【００３２】
選択メール広告付加部７では、選択メールに所定の広告を付加して広告付加選択メールを作成し、当該広告付加選択メールを応募情報付加部８に送る。応募情報付加部８では、広告付加選択メールにおける広告部分及び／又はその周辺部分に、所定のプレゼントの応募情報を付加して応募広告付加選択メールを作成し、当該応募広告付加選択メールをメール配信部１０に送る。
【００３３】
また、否選択メール広告付加部９では、否選択メールに所定の広告を付加して広告付加否選択メールを作成し、当該広告付加否選択メールをメール配信部１０に送る。
【００３４】
メール配信部１０は、受信者にメールを配送する配信部であり、応募広告付加選択メール又は広告付加否選択メールなどの情報（広告情報、応募情報）が付加又は添付されたメール（「情報付加メール」と称する）を、ヘッダ情報に基づいて配信先の受信者に配信する。
【００３５】
当該システムでは、送信者からのメール内容を保持しつつ、情報（広告情報、応募情報）を付加させているため、受信者は、送信者からのメール内容と、付加された情報とを有する電子メール（情報付加メール）を受信することができる。
【００３６】
従って、本発明のシステムは、電子メールに関して、少なくともヘッダ情報及びメール内容を解釈するメール解釈部と、受信者により予め登録された配信先メールアドレス情報が記憶されており、メール解釈部により解釈されたヘッダ情報に基づいて配信先メールアドレス情報を求めるメールアドレス情報記憶部と、メール解釈部により解釈されたメール内容に、メールアドレス情報記憶部による配信先のメールアドレスを有するヘッダ情報を付与して、配信先ヘッダ情報付与メールを作成するメール作成部と、電子メールに広告情報を付加する広告付加部と、電子メールにプレゼントの応募情報を、電子メールに付加された広告部分及び／又はその周辺部分に付加する応募情報付加部と、広告情報と必要に応じて応募情報とを有する電子メールを、配信先である受信者に配信するメール配信部とを含む構成とすることができる。
【００３７】
更に、プレゼントの応募情報を付加する電子メールを選択するメール選択部を含む構成とすることができる。
【００３８】
本発明では、プレゼントの応募情報を付加する電子メール（選択メール）を選択する方法を採用しているが、これを採用しない場合は、図１のメール選択部が採用されていない形態と同様であり、メール作成部から広告付加部に再配信先ヘッダ情報付与メールが送られて広告付加メールが作成され、当該広告付加メールが応募情報付加部に送られて応募情報付加メールが作成され、当該応募情報付加メールがメール配信部に送られる形態とすることができる。
【００３９】
すなわち、選択メールを選択する方法を採用しない場合は、図１において、メール選択部ですべてのメールが選択メールとして選択される場合と同様である。
【００４０】
プレゼントの応募情報を付加する電子メール（選択メール）を選択する方法としては、特に制限されない。例えば、特定の期間（日など）に配信のものをすべて選択する方法、特定の期間（日など）に配信のものを特定の基準で（例えば、特定の割合で）無作為に選択する方法、特定の日時に配信のものから順に特定の数だけ選択する方法、特定の期間（日など）に受信したものをすべて選択する方法、特定の期間（日など）に受信したものを特定の基準で（例えば、特定の割合で）無作為に選択する方法、特定の日時に受信したものから順に特定の数だけ選択する方法、常に特定の基準で（例えば、特定の割合で）無作為に選択する方法などが挙げられる。
【００４１】
本発明のシステムでは、当該システムの利用者であるユーザ（送信者及び／又は受信者）に、予め電子メールにより、プレゼントの内容およびそのプレゼントの応募情報の付加に関して告知するプレゼント告知部を設けることができる。
【００４２】
図２は、図１に係るメーリングリストサービス部とともに、プレゼント告知サービス部、およびプレゼントサービス部が設けられている構成例を示している。図２において、１３はプレゼント告知部、１４は応募受信部、１５は当選者選択部、１６は当選者連絡部である。
【００４３】
プレゼント告知サービス部では、電子メールにより、ユーザにプレゼントについて予め告知するサービスを行うことができる。具体的には、プレゼント告知部１３では、プレゼントの内容およびそのプレゼントの応募情報の付加に関して告知する電子メール（プレゼント告知メール）が作成され、当該プレゼント告知メールがユーザに配信される。ユーザとしては、メールアドレス情報記憶部４に登録されているユーザから適宜選択することができる。
【００４４】
このように、プレゼント告知部が設けられていると、ユーザに予めプレゼントを行うことを電子メールにより告知することができる。ユーザとしては、プレゼントについての情報を予め得ていると、プレゼントの応募情報を見つけやすくなる。
【００４５】
当該プレゼント告知部により告知されるプレゼントの内容としては、プレゼントの種類や商品名、そのプレゼントの当選人数などが挙げられる。また、プレゼントの応募情報の付加に関するものとしては、特に制限されず、プレゼントの応募情報の付加を行う期間又は時期、プレゼントの応募情報の付加を行うメールの部位、プレゼントの応募情報の付加を行うメールに係るユーザ等が挙げられる。
【００４６】
本発明では、プレゼントの応募情報としては、プレゼントの応募に関する情報である限り特に制限されない。応募情報としては、例えば、応募先情報、応募事項情報などが挙げられる。本発明では、応募情報としては、応募先情報が好適に採用される。
【００４７】
応募先情報としては、特に制限されず、例えば、通信ネットワークを利用したホームページのアドレス情報（ＵＲＬ情報）、メールアドレス情報を好適に採用することができる。また、応募先情報としては、郵便物（はがき等）による郵送先も採用することができる。
【００４８】
また、応募事項情報とは、ユーザが応募するときに応募先に提示する必要な事項のことであり、ユーザ応募情報（応募者情報）に関する事項が好適に採用される。ユーザ応募情報（応募者情報）には、ユーザの氏名、住所、電話番号、メールアドレス、性別、年齢などのユーザ情報や、応募したい商品などの応募商品情報などが含まれる。なお、応募事項情報により、電子メールや郵便物によりプレゼントに応募する場合、どのような情報を応募先に提示すれば又は送ればいいのか明確に示すことができる。
【００４９】
ユーザは、応募情報に含まれる応募先情報を用いて、ユーザ応募情報を応募先である業者（メーリングリストサービス業者など）に送信又は送ることにより、プレゼントに応募することができる。
【００５０】
図２は、通信ネットワークを利用してプレゼントの応募を行う構成例である。プレゼントサービス部では、ユーザから通信ネットワークを利用した応募を受信して、当選者を選択し、当該当選者にプレゼントに当選したことを知らせる電子メール（当選メール）を作成して、当該当選メールを当選者に配信するサービスを行うことができる。
【００５１】
具体的には、応募受信部１４では、応募先情報としてユーザが通信ネットワークを利用したホームページのアドレス情報（ＵＲＬ情報）又はメールアドレス情報を用いて、プレゼントに応募した際のユーザ応募情報を少なくとも受信し、当該ユーザ応募情報を当選者選択部１５に送る。
【００５２】
当選者選択部１５では、ユーザ応募情報を用いて当選者を選択し、当選者に係るユーザ応募情報を当選者連絡部１６に送る。当選者連絡部１６は、当選者に当選の連絡としての電子メール（当選メール）を作成し、ユーザ応募情報に含まれているユーザのメールアドレス情報に基づいて、当選メールを配信する。
【００５３】
このように、ユーザからのユーザ応募情報を受け取って、当選者を選択し、当選者に当選した旨を知らせることができる。
【００５４】
本発明では、プレゼントの応募者から当選者を選択又は確定する方法は、特に制限されない。例えば、応募の先着順に当選者を決める選択方法、無作為に当選者を決める選択方法などが挙げられる。
【００５５】
なお、通信ネットワークを利用して応募する場合（ホームページを利用して応募する場合や電子メールを利用して応募する場合など）、応募の先着順を明確に把握することができるので、応募の先着順に当選者を決める選択方法を採用しても、混乱は生じない。
【００５６】
また、通信ネットワークを利用して応募する場合は、応募者のデータベースへの入力も自動的に行うことができるので、コンピュータを利用して無作為に当選者を決めることも容易に行うことができる。
【００５７】
一方、ユーザは、応募情報に含まれる応募先情報がホームページのアドレス情報である場合、通信ネットワークに接続することができる端末機器を用いて、応募先であるホームページのアドレス（ＵＲＬ）にアクセスして、当該ホームページに設けられている必要事項の各項目にユーザ情報（ユーザの氏名、住所、電話番号、メールアドレス、性別、年齢など）や応募商品情報（応募したい商品など）などのユーザ応募情報（応募者情報）を記入して、そのユーザ応募情報を応募先に送信することにより、プレゼントに応募することができる。
【００５８】
このように、応募先情報がホームページのアドレス情報である場合、ユーザは、ホームページに設けられている必要事項の各項目にユーザ応募情報を記入してその情報を送信するので、応募先である業者（メーリングリストサービス業者など）は、ユーザから送信されたユーザ応募情報をそのまま自動的にデータベースに入力することが可能である。そのため、入力の手間を省くことができる。従って、応募先情報としてはホームページのアドレス情報が最適である。
【００５９】
また、応募先情報がメールアドレス情報（電子メールのアドレス情報）である場合、ユーザは、ユーザ応募情報を記入した電子メールを、応募先であるメールアドレス情報に基づいて応募先に送信することにより、プレゼントに応募することができる。
【００６０】
本発明では、広告情報と応募情報とをまとめてメールに付加することができる。すなわち、図１の選択メール広告付加部と応募情報付加部とを合わせた構成とすることができる。
【００６１】
図３は、本発明のシステムの他の構成例を示している。図３は、図１において、選択メール広告付加部７と応募情報付加部８とを合わせた構成と同様である。図３において、１７は選択メール応募広告付加部である。なお、メール受信部２、メール解釈部３、メールアドレス情報記憶部４、メール作成部５、メール選択部６、否選択メール広告付加部９、メール配信部１０などは、図１と同様である。
【００６２】
メール選択部６により選択された選択メールは、選択メール応募広告付加部１７に送られる。なお、メール選択部６により選択メールとして選択されなかった否選択メールは、図１と同様に、否選択メール広告付加部９に送られる。
【００６３】
選択メール応募広告付加部１７は、広告部分及び／又はその周辺部分に応募情報を有する所定の情報を選択メールに付加して、応募広告付加選択メールを作成している。すなわち、選択メール応募広告付加部１７では、広告情報とともに応募情報を選択メールに付加することができる。この選択メール応募広告付加部１７において作成された応募広告付加選択メールは、メール配信部１０に送られる。
【００６４】
図４は、本発明のシステムの他の構成例を示している。図４に示されているシステムは、広告情報を付加した後に、選択メールを選択して、当該選択メールに応募情報を付加するシステムである。従って、図４は、図１において、選択メール広告付加部７と否選択メール広告付加部９とが合わさった広告付加部がメール選択部６の前に設けられている構成と同様である。
【００６５】
図４において、１８は広告付加部である。なお、メール受信部２、メール解釈部３、メールアドレス情報記憶部４、メール作成部５、メール選択部６、応募情報付加部８、メール配信部１０などは、図１と同様である。
【００６６】
メール作成部５により作成された配信先ヘッダ情報付与メールは、広告付加部１８に送られる。広告付加部１８は、配信先ヘッダ情報付与メールに所定の広告を付加して広告付加メールを作成し、当該広告付加メールをメール選択部６に送る。
【００６７】
メール選択部６は、広告付加メールについてプレゼントの応募情報を付加する電子メールを選択する選択部であり、選択メールを応募情報付加部８に送り、否選択メールをメール配信部１０に送る。
【００６８】
応募情報付加部８は、メール選択部６から送られてきた選択メールにおける広告部分及び／又はその周辺部分に、所定のプレゼントの応募情報を付加して応募広告付加選択メールを作成し、当該応募広告付加選択メールをメール配信部１０に送る。
【００６９】
なお、図１〜図４では、メール解釈部３、メールアドレス情報記憶部４、及びメール作成部５は、メール選択部、広告情報や応募情報を付加する部（選択メール広告付加部、否選択メール広告付加部、応募情報付加部、選択メール応募広告付加部、広告付加部など）などの前に設けられているが、メール選択部、広告情報や応募情報を付加する部の後に設けることもできる。
【００７０】
本発明は、受信したメールに広告を付加して、予め登録されている配信先の受信者に配信するメーリングリストサービスに有用である。従って、このようなシステムを有するメーリングリストサービスでは、ユーザにとってはプレゼントが当たる可能性があり、広告を出す企業にとってはユーザに広告を見てもらう可能性が高いので、広告を出す企業及びユーザの双方にとってメリットが極めて大きい。
【００７１】
なお、図１などで示されているように、メールアドレス情報は、メールアドレス設定変更部１１により設定又は変更をすることができる構成であってもよい。当該メールアドレス設定変更部１１は、例えば、インターネットのホームページ上に設けられ、ユーザ自身により設定や変更することができる構成であってもよい。また、電子メールや郵便などにより、メールアドレスの設定や変更の旨を電子メール情報付加システム管理者（メールリングリストサービス業者など）に送り、当該管理者によりメールアドレスの設定や変更ができる構成であってもよい。勿論、メールアドレス設定変更部１１での設定や変更は、ユーザ自身および管理者のいずれでも行うことができる複数の設定変更方法などにより、行われていてもよい。
【００７２】
本発明のシステムでは、受信したメールや配信したメールのメール内容、日付、統計情報などのデータは、メール保存部（図１〜図４では図示されていない）で保存されてもよい。保存部へ前記データを送る部位は、特に制限されず、例えば、メール受信部２、メール解釈部３、メール配信部９などが挙げられる。
【００７３】
本発明では、例えば、ユーザに送る広告の送信回数を限定して（例えば、３回まで）、常にユーザに新しい広告情報を提供するようにしてもよい。
【符号の説明】
【００７４】
１・・・電子メール、２・・・メール受信部、３・・・メール解釈部、４・・・メールアドレス情報記憶部、５・・・メール作成部、６・・・メール選択部、７・・・選択メール広告付加部、８・・・応募情報付加部、９・・・否選択メール広告付加部、１０・・・メール配信部、１１・・・情報が付加又は添付されたメール（情報付加メール）、１２・・・メールアドレス設定変更部、１３・・・プレゼント告知部、１４・・・応募受信部、１５・・・当選者選択部、１６・・・当選者連絡部。
【図１】
2010198635.tif 000003
【図２】
2010198635.tif 000004
【図３】
2010198635.tif 000005
【図４】
2010198635.tif 000006